(57)【要約】      （修正有）【課題】ワークの下側面をミーリング加工するミーリング加工装置及びその加工方法であって、ワークの保持力を低下することなく、ミーリング加工によって生じる切削屑の排出を確実に行なうことで、切削屑による製品品質の悪化や切削工具等の破損を防止することができるミーリング加工装置及びその加工方法を提供する。【解決手段】挿通穴３１の内壁面４０に、二本の螺旋状の屑排出溝４１，４２を形成している。この屑排出溝４１，４２は、内壁面４０の基準面４３より一段窪んで形成され、基準面４３と共に内壁面４０を凹凸形状にしている。【選択図】図５
2007253245.tif 000002
【特許請求の範囲】
【請求項１】
ワークの下側面にエンドミルでミーリング加工を行なうミーリング加工装置であって、
前記ワークの下方でワークの下側面を保持する下台と、
該下台に設けた前記エンドミルを挿通する挿通穴と、
該挿通穴の内壁面に、凹凸形状の切削屑脱落部を設けた
ミーリング加工装置。
【請求項２】
前記切削屑脱落部が、内壁面に形成した略上下方向に延びる溝部である
請求項１記載のミーリング加工装置。
【請求項３】
前記溝部を、螺旋状に形成した
請求項２記載のミーリング加工装置。
【請求項４】
前記溝部を、複数形成した
請求項２又は３記載のミーリング加工装置。
【請求項５】
前記溝部の断面形状を、略三角形状とした
請求項２〜４いずれか記載のミーリング加工装置。
【請求項６】
前記切削屑を吸引する吸引手段を設け、
該吸引手段により前記挿通穴内部を下方から吸引する
請求項１〜５いずれか記載のミーリング加工装置。
【請求項７】
ワークの下側面にエンドミルでミーリング加工を行なうミーリング加工方法であって、
ワークの下側面に回転するエンドミルを当接させて、ワークの切削を行なう切削ステップと、
該切削ステップの後、エンドミルをワークから離間させる際に、下台の挿通穴の内壁面に設けた切削屑脱落部に切削屑を引っ掛け、エンドミルの回転を利用して、該切削屑を脱落させる脱落ステップとを備えた
ミーリング加工方法。
【請求項８】
前記脱落ステップの後に、前記切削屑を下方から吸引する吸引ステップを備えた
請求項７記載のミーリング加工方法。
【発明の詳細な説明】
【技術分野】
【０００１】
この発明は、ミーリング加工装置及びその加工方法に関し、特に、ミーリング加工によって生じる切削屑の排出効果を高めたミーリング加工装置及びその加工方法に関する。
【背景技術】
【０００２】
従来から、ミーリング加工等の切削加工を行なう場合に、切削加工によって生じる切削屑を、吸引機等によってワークの加工部位から吸引排出することが知られている。
【０００３】
例えば、下記特許文献１には、切削加工後の切削屑を吸引排出するために、ワークの切削部位に集塵カバーを設置して、集塵カバー内部の切削屑を集塵機で吸引する切削加工装置が開示されている。特に、この特許文献１では、集塵カバーの先端に設けた当て板に、外気導入溝を形成することで、集塵カバーの集塵効率を高める技術が開示されている。
【０００４】
また、下記特許文献２でも、切削屑を外部に排出するために、切削工具の周囲に切り屑収納体を設け、その切り屑収納体内部の切削屑を空気排出機構で吸引する切削加工装置が開示されている。この特許文献２では、切り屑収納体の内部壁面の角部を曲面形状とすることで、切り屑収納体内部の切削屑の排出性を向上する技術が開示されている。
【０００５】
【特許文献１】特開平１０−１５７１７号公報
【特許文献２】実開平５−７８４５２号公報
【発明の開示】
【発明が解決しようとする課題】
【０００６】
ところで、ワークを貫通することなく下側面だけをミーリング加工する場合には、ワークの下側から切削工具であるエンドミルを上昇させて加工を行なうが、このとき、切削屑はワークの下方から排出することになる。
【０００７】
もっとも、ワーク保持を確実に行なうために、下台をエンドミルに近接して設置しなければならないことから、エンドミルと下台との隙間は少なく、この場合の切削屑の排出は、主としてエンドミルの溝を利用して行うことになる。
【０００８】
しかし、このように、エンドミルの溝を主として切削屑を排出した場合には、吸引機で吸引排出しようとしても、エンドミルの溝の排出量が十分でないことから、エンドミルの溝に切削屑が詰ってしまい、切削屑がワーク（製品）に付着（残余）したり、ワーク（製品）に傷を生じさせたり、さらには、エンドミルに回転ブレが生じて適切な加工径を得られないという問題が生じていた。さらに、エンドミル側においても破損原因になるという問題を引き起こしていた。
【０００９】
そこで、本発明は、ワークの下側面をミーリング加工するミーリング加工装置及びその加工方法であって、ワークの保持力を低下することなく、ミーリング加工によって生じる切削屑の排出を確実に行なうことで、切削屑による製品品質の悪化や切削工具等の破損を防止することができるミーリング加工装置及びその加工方法を提供することを目的とする。
【課題を解決するための手段】
【００１０】
この発明のミーリング加工装置は、ワークの下側面にエンドミルでミーリング加工を行なうミーリング加工装置であって、前記ワークの下方でワークの下側面を保持する下台と、該下台に設けた前記エンドミルを挿通する挿通穴と、該挿通穴の内壁面に、凹凸形状の切削屑脱落部を設けたものである。
【００１１】
上記構成によれば、ミーリング加工によって生じる切削屑は、エンドミルの溝に沿って下方に送られるが、挿通穴の内壁面に設けた凹凸形状の切削屑脱落部に引っ掛かることで、回転するエンドミルとの間で変位が生じて、強制的にエンドミルの溝から離脱され、下方に排出されることになる。  
このため、効率的にエンドミルの回転を利用して、切削屑を排出することができ、エンドミルの溝には、切削屑が詰まることがなくなり、切削屑をスムーズに下方に排出することができる。
【００１２】
なお、「凹凸形状の切削屑脱落部」とは、挿通穴の内壁面に設けた凹凸部であれば良く、穴の内方に突出するボスやリブであってもよいし、逆に穴の外方に凹む窪み部等であってもよい。
【００１３】
また、下台とワークとの間には、ダイプレート等の保持プレート等を介装してもよい。
【００１４】
この発明の一実施態様においては、前記切削屑脱落部が、内壁面に形成した略上下方向に延びる溝部であるものである。  
上記構成によれば、切削屑脱落部を溝部とすることで、挿通穴とエンドミルとの間の狭い空間を減少させることなく、エンドミルの溝から切削屑を強制的に離脱させることができる。  
また、この溝部が、略上下方向に延びることで、エンドミルの上下移動に対応して、必ず切削屑が溝部に引っ掛かることになり、確実にエンドミルの溝から切削屑を離脱することができる。  
よって、切削屑の脱落する空間を確保した上で、確実に切削屑を下方に排出することができる。
【００１５】
この発明の一実施態様においては、前記溝部を、螺旋状に形成したものである。  
上記構成によれば、溝部が螺旋状に形成されることで、エンドミルの溝に対して溝部が略直交する位置関係となるため、回転するエンドミルとの関係において、より切削屑が溝部に引っ掛かりやすくなる。  
よって、切削屑がエンドミルの溝からより離脱しやすくなり、より強制的に切削屑をエンドミルの溝から脱落させることができる。
【００１６】
この発明の一実施態様においては、前記溝部を、複数形成したものである。  
上記構成によれば、溝部が複数形成されることで、より切削屑が溝部に引っ掛かりやすくなるため、エンドミルの溝部から切削屑が離脱しやすくなる。特に、エンドミルの溝と溝部を同数とした場合には、エンドミルの回転中にいずれかの溝部がエンドミルの溝に対応するため、より切削屑がエンドミルの溝から離脱しやすくなる。  
よって、さらに、切削屑の排出性を高めることができる。  
なお、材料の展性が低い場合には、溝部の数をエンドミルの溝数よりも増やすことにより、より切削屑の排出性を高めることができる。
【００１７】
この発明の一実施態様においては、前記溝部の断面形状を、略三角形状としたものである。  
上記構成によれば、溝部が略三角形状で形成されることで、切削屑の一部（先端部）が、溝部内の縦面に引っ掛かりやすくなる。  
よって、より一層、切削屑がエンドミルの溝から離脱しやすくなり、切削屑の排出性を高めることができる。
【００１８】
この発明の一実施態様においては、切削屑を吸引する吸引手段を設け、該吸引手段により前記挿通穴を下方から吸引するものである。  
上記構成によれば、吸引手段によって、エンドミルの溝から離脱した切削屑を、挿通穴の下方から吸引することになる。  
このため、離脱した切削屑が挿通穴内に留まらないため、エンドミルの回転を阻害することがなく、ミーリング加工の加工性を向上できる。また、エンドミルから十分に離脱しきれない切削屑についても、吸引手段の吸引力により下方に引き落とすことができる。  
よって、切削屑脱落部の機能と相俟って、さらに切削屑の排出性を高めることができる。
【００１９】
この発明のミーリング加工方法は、ワークの下側面にエンドミルでミーリング加工を行なうミーリング加工方法であって、ワークの下側面に回転するエンドミルを当接させて、ワークの切削を行なう切削ステップと、該切削ステップの後、エンドミルをワークから離間させる際に、下台の挿通穴の内壁面に設けた切削屑脱落部に切削屑を引っ掛け、エンドミルの回転を利用して、該切削屑を脱落させる脱落ステップとを備えた方法である。
【００２０】
上記加工方法によれば、切削ステップの後に、切削屑脱落部に切削屑を引っ掛け、エンドミルの回転を利用して、切削屑を脱落させる脱落ステップを行なうことで、強制的にエンドミルの溝から切削屑を離脱させ、下方に排出することになる。  
このため、効率的にエンドミルの回転を利用して、切削屑を排出することができ、エンドミルの溝には切削屑が詰まることがなくなり、切削屑をスムーズに下方に排出することができる。  
よって、ミーリング加工によって生じる切削屑の排出を、確実に行なえ、切削屑による製品品質の悪化や切削工具等の破損を防止することができる。
【００２１】
この発明の一実施態様においては、前記脱落ステップの後に、前記切削屑を下方から吸引する吸引ステップを備えたミーリング加工方法である。
【００２２】
上記方法によれば、吸引ステップによって、エンドミルから離脱した切削屑を、挿通穴の下方から吸引することになる。
【００２３】
このため、エンドミルから離脱した切削屑が、挿通穴内に留まらないため、エンドミルの回転を阻害することがなく、ミーリング加工の加工性を向上できる。また、エンドミルから十分に離脱しきれない切削屑についても、吸引手段の吸引力により下方に引き落とすことができる。
【００２４】
よって、切削屑脱落部の機能と相俟って、さらに切削屑の排出性を高めることができる。
【発明の効果】
【００２５】
この発明によれば、効率的にエンドミルの回転を利用して、切削屑を排出することができ、エンドミルの溝には切削屑が詰まることがなくなり、切削屑をスムーズに下方に排出することができる。  
よって、ワークの下側面をミーリング加工するミーリング加工装置及びその加工方法であって、ワークの保持力を低下することなく、ミーリング加工によって生じる切削屑の排出を、確実に行なうことができ、切削屑による製品品質の悪化や切削工具等の破損を防止することができる。
【発明を実施するための最良の形態】
【００２６】
以下、図面に基づいて本発明の実施形態を詳述する。
【００２７】
まず、図１〜図７により、第一実施形態について説明する。図１は本実施形態のミーリング加工装置を含んだ加工ラインの全体概略図、図２はミーリング加工装置によって加工されるワークの（ａ）斜視図、（ｂ）底面図、（ｃ）断面図、図３はミーリング加工装置の全体正面図、図４はミーリング加工装置の加工動作の説明図、図５は下台に設けた挿通穴の斜視図、図６は挿通穴の（ａ）内壁面の展開図、（ｂ）一部平面図、（ｃ）一部底面図、図７は挿通穴内部の切削屑の排出動作を説明する断面図である。
【００２８】
本実施形態のミーリング加工装置１を含んだ加工ラインは、図１に示すように、ワークＷを供給するサプライ工程２と、ワークＷの表面を平滑化するレベラー工程３と、ワークＷ表面にミーリング加工を行なうミーリング工程４と、ミーリング加工後にワークＷ表面を洗浄する第一洗浄工程５と、洗浄後にワークＷを切断プレスするプレス工程６と、プレス後にワークＷを十分に洗浄する第二洗浄工程７と、洗浄後にワークＷ（製品）を検査して梱包する検査梱包工程８とによって構成している。なお、この下部に示す帯状体Ｗ等は、各工程を経過した際のワークＷの加工状態を示したものである。
【００２９】
この加工ラインで加工されるワークＷは、図２に示すように、コイル状に巻かれた金属帯であり、例えば、板厚１．２ｍｍ、材巾５５ｍｍ、材質タブピッチ銅（ＪＩＳ規格：Ｃ１１００）の銅材で構成している。本実施形態のミーリング加工装置１では、このワークＷの下側面Ｗａに対して円形の座グリ加工Ｑ（材料の途中までの穴掘り切削加工）を施すようにしている。
【００３０】
この座グリ加工Ｑでは、精密な加工精度が要求され、例えば、穴径Ｄ＝１９．０５±０．０１５ｍｍ、深さＨ＝０．５５±０．０５ｍｍとする加工値に、ワークＷを加工することが求められる。
【００３１】
本実施形態のミーリング加工装置１は、図３に示すように、設置されるベース１０に対して上下方向に延びる一対のスライドレール１１，１１を立設し、そのスライドレール１１，１１の下部にスピンドル１２を設置している。このスピンドル１２の上部には上下方向軸回りに回転駆動されるエンドミル１３を装着して、前述の座グリ加工Ｑを行なうように構成している。この装着されるエンドミル１３は、例えば、材質が超硬（カーバイド）で、刃数が二枚刃、直径がφ１９．０５ｍｍのものに設定している。
【００３２】
また、スピンドル１２の上方には、スライドレール１１，１１に対してスライド自在となった下台１４を、スピンドル１２を支持する台座１５から延びるコイルスプリング１６，１６を介して揺動自在に設置している。また、この下台１４の上面にはワークＷの下側面Ｗａに当接支持するダイプレート１７を設置している。
【００３３】
このダイプレート１７の上方には、前述のワークＷを図面左側から右側に水平方向に送られるように設置して、そのワークＷの図面左側には、加工前のワークＷに対して、加工油を塗布するオイル塗布部１８を設けている。
【００３４】
ワークＷの上方には、スライドレール１１，１１に対してスライド自在となった上押えプレート１９を設置して、その上押えプレート１９の下面には、ワークＷの上側面に当接するストリッパープレート２０を設置している。
【００３５】
さらに、スライドレール１１の上端には、サーボモータＭを設置して、前述の上押えプレート１９を、上下移動させるように構成している。
【００３６】
また、このミーリング加工装置１では、ミーリング加工で生じた切削屑をワークＷの下方から排出する排出機構３０を設けている。具体的には、下台１４にエンドミル１３が挿通する上下方向に延びる挿通穴３１を穿設して、その挿通穴３１の下方に屑受け箱３２を設置して、その屑受け箱３２の内部をダクト３３を介して吸引する吸引機３４をその側方に設置して、排出機構３０を構成している。この排出機構３０は、後述するように、詰まりやすくなった切削屑を、効率よくスムーズに外部に排出できるように構成している。
【００３７】
次に、図４でこのミーリング加工装置１の加工動作について説明する。（ａ）は開放工程、（ｂ）は材料固定工程、（ｃ）は切削工程である。
【００３８】
まず、（ａ）の開放工程では、上押えプレート１９が上方に位置して、ワークＷを加工位置まで送り込む。このとき、ワークＷの上下面には、オイル塗布部１８で加工油が塗布された状態で送り込まれる。なお、この工程でもエンドミル１３はスピンドル１２で回動されている。
【００３９】
次の（ｂ）の材料固定工程では、サーボモータＭを駆動して上押えプレート１９を降下させて、ワークＷを押し下げ、ストリッパープレート２０とダイプレート１７との間にワークＷを挟んだ状態で固定する。このワークＷの固定によって、ミーリング加工の際のワークＷのズレを抑制している。
【００４０】
その次の（ｃ）の切削工程では、サーボモータＭをさらに駆動することで、上押えプレート１９をさらに降下させて、コイルスプリング１６を介して設置された下台１４も下方に降下させる。これにより、回動しているエンドミル１３に対してワークＷの下側面Ｗａを接触させて、ワークＷにミーリング加工を施す。
【００４１】
このような一連の工程によって、本実施形態のミーリング加工装置１は、前述のように、ワークＷの下側面に円形の座グリ加工Ｑを行なう。
【００４２】
ただし、本実施形態では、このようにワークＷの下側面Ｗａをエンドミル１３を貫通させることなく切削するため、切削屑をワークＷの下方から排出している。しかし、ワークＷの押え保持力を確保するために、下台１４の挿通穴３１の径を必要以上に大きくできないため、切削屑は、必然的にエンドミル１３の溝や、挿通穴３１の内壁面とエンドミル１３との間の僅かな空間Ｓ（図３参照）を利用して、下方に排出するしかない。
【００４３】
しかしながら、このようにエンドミル１３の溝や僅かな空間Ｓだけでは、切削屑は十分に下方に排出されず、切削屑がワークＷやエンドミル１３に残余する状態が生じ、切削屑が挿通穴３１内部に詰まるといった問題が生じる。
【００４４】
このように切削屑が詰まると、ワークＷに切削屑が付着したり、ワークＷに傷が生じたり、さらに、エンドミル１３にも切削屑が残余することで、エンドミル１３の回転中心が偏芯して、ワークＷに穴ずれが生じたり、穴径が大きくなるといった、ワークＷ（製品）側の品質を悪化させるという問題が生じる。前述のように精密な加工精度が要求される本実施形態において、こうした問題は切実なものとなる。
【００４５】
また、エンドミル１３側についても、エンドミル１３が偏芯して回転するため、エンドミル１３の耐久性を悪化させ、早期にエンドミル１３を交換する必要が生じ、また、スピンドル１２にも負荷が生じて故障原因になるという問題が生じる。
【００４６】
そこで、本実施形態では、以下のように排出機構３０を構成することによって、切削工程後の切削屑を効率よくスムーズに排出できるようにしている。
【００４７】
排出機構３０のうち挿通穴３１には、図５に示すように、その内壁面４０に、二本の螺旋状の屑排出溝４１，４２を形成している。この屑排出溝４１，４２は、内壁面４０の基準面４３より一段窪んで形成され、基準面４３と共に内壁面４０を凹凸形状にしている。
【００４８】
また、この挿通穴３１は、上径ｄ１をエンドミル１３直径とほぼ同じとなる小径として、下径ｄ２をエンドミル１３直径よりも２倍近く大きい大径として、略円錐台形状として構成している。これは、下台１４の上面１４ａでは前述のようにワークＷの押え保持力を確保する必要があるものの、下台１４の下面１４ｂではそうした要求はなく、切削屑の排出効果を高めることができるからである。
【００４９】
図６（ａ）の内壁面４０の展開図に示すように、本実施形態では、内壁面４０の０°から１８０°にかけて、下部から上部に延びるように第一屑排出溝４１を形成して、１８０°から３６０°にかけて、第二屑排出溝４２を形成している。これら屑排出溝の断面は、（ｂ）や（ｃ）に示すように略円弧状に形成されて、上部から下部にかけて徐々に広がる（太くなる）ように形成している（ｔ１＜ｔ２）。
【００５０】
この屑排出溝の傾斜角αは、約４５°に設定して、仮想線で示したエンドミル１３の溝ラインＬとほぼ直交するように設定している。
【００５１】
なお、この展開図に示した屑排出溝４１，４２の本数や傾斜角αは、一例であって、特にこれに限定されるものではなく、例えば、屑排出溝を一本としてもよいし、二本以上の複数形成してもよい。また、傾斜角αもエンドミル１３の溝ラインと交差するようにα＝３０°〜６０°とするのが望ましいが、α＝９０°として上下方向に鉛直状に形成してもよい。
【００５２】
次に、排出機構３０の切削屑の排出動作について、図７により説明する。  
前述した加工工程の後に、ワークＷから排出される切削屑Ｘ１は、回転するエンドミル１３の溝部１３ａに沿って下方に導かれる。そして、その切削屑Ｘ２の先端部又は一部が前述の屑排出溝４１，４２に引っ掛かることにより（図６（ｃ）の切削屑Ｘ参照）、切削屑Ｘ２が回転するエンドミル１３の溝部１３ａから強制的に離脱されて挿通穴３１の下方に脱落する（脱落工程）。  
この切削屑のエンドミル１３からの脱落により、挿通穴３１内部やエンドミル１３等の切削屑の詰まりが防止され、スムーズ且つ効率よく切削屑の排出を行なうことができる。
【００５３】
こうして脱落した切削屑Ｘ３は、その後、屑受け箱３２内に落下して、前述の吸引機３４（図２参照）に吸引されて、強制的に挿通穴３１から外部に排出される（切削屑Ｘ４参照）。もっとも、十分に脱落しきっていない切削屑も吸引機３４に吸引されることで、強制的にエンドミル１３から脱落して外部に排出されることになる（吸引工程）。  
こうして、本実施形態の排出機構３０は、効率よくスムーズに切削屑を排出することができる。
【００５４】
次に、本実施形態の作用効果について、詳述する。  
この実施形態では、エンドミル１３を挿通する挿通穴３１の内壁面４０に、屑排出溝４１，４２を設けている。
【００５５】
これにより、ミーリング加工によって生じる切削屑は、エンドミル１３の溝１３ａに沿って下方に送られるが、挿通穴３１の内壁面４０に設けた屑排出溝４１，４２の凹凸部分に引っ掛かることで、回転するエンドミル１３との間で変位が生じて、強制的にエンドミル１３の溝１３ａから離脱され、下方に排出されることになる。  
このため、効率的にエンドミル１３の回転を利用して、切削屑を排出することができ、エンドミル１３の溝１３ａには、切削屑が詰まることがなくなり、切削屑をスムーズに下方に排出することができる。
【００５６】
よって、ワークＷの下側面Ｗａをミーリング加工するミーリング加工装置１であって、ワークＷの保持力を低下することなく、ミーリング加工によって生じる切削屑の排出を確実に行なうことができ、切削屑による製品品質の悪化や切削工具等の破損を防止することができる。
【００５７】
なお、この実施形態では、屑排出溝４１，４２で内壁面４０に凹凸部分が形成されるように構成したが、そのほかにも、挿通穴３１の内方に突出するボスやリブで、切削屑を脱落するようにしてもよいし、逆に挿通穴３１の外方に凹む窪み部で、切削屑を脱落するようにしてもよい。
【００５８】
また、この実施形態では、屑排出溝４１，４２を略上下方向に延びるように形成している。  
これにより、エンドミル１３の上下移動に対応して、必ず切削屑が屑排出溝４１，４２に引っ掛かることになり、確実にエンドミル１３の溝１３ａから切削屑を離脱することができる。特に、屑排出溝４１，４２が挿通穴３１の外方側に凹む溝形状であるため、挿通穴３１とエンドミル１３との間の狭い空間Ｓ（図７参照）を減少させることもない。
【００５９】
よって、切削屑の脱落する空間Ｓを確保した上で、上下移動するエンドミル１３から確実に切削屑を下方に排出することができる。
【００６０】
また、この実施形態では、屑排出溝４１，４２を、螺旋状に形成している。  
これにより、エンドミル１３の螺旋状の溝１３ａに対して屑排出溝４１，４２が略直交する位置関係となるため、回転するエンドミル１３との関係において、より切削屑が屑排出溝４１，４２に引っ掛かりやすくなる。  
よって、切削屑がエンドミル１３の溝１３ａからより離脱しやすくなり、より強制的に切削屑をエンドミル１３の溝１３ａから脱落させることができる。
【００６１】
また、この実施形態では、屑排出溝４１，４２を、複数形成している。  
これにより、回転するエンドミル１３に付着した切削屑が、より屑排出溝４１，４２に引っ掛かりやすくなるため、エンドミル１３の溝部１３ａから切削屑が離脱しやすくなる。特に、本実施形態のように、エンドミル１３の溝１３ａと屑排出溝４１，４２を同数とした場合には、エンドミル１３の回転中にいずれかの屑排出溝４１，４２がエンドミル１３の溝１３ａに対応するため、より切削屑がエンドミル１３の溝から離脱しやすくなる。  
よって、さらに、切削屑の排出性を高めることができる。  
なお、材料の展性が低い場合には、屑排出溝の数をエンドミルの溝数よりも増やすことにより、より切削屑の排出性を高めることができる。
【００６２】
また、この実施形態では、切削屑を吸引する吸引機３４を設け、その吸引機３４により挿通穴３１を下方から吸引している。  
これにより、吸引機３４によって、エンドミル１３の溝１３ａから離脱した切削屑を、挿通穴３１の下方から吸引することになる。  
このため、離脱した切削屑が挿通穴３１内に留まらないため、エンドミル１３の回転を阻害することがなく、ミーリング加工の加工性を向上できる。また、エンドミル１３から十分に離脱しきれない切削屑についても、吸引機３４の吸引力により下方に引き落とすことができる。  
よって、屑排出溝４１，４２の切削屑脱落効果と相俟って、さらに切削屑の排出性を高めることができる。
【００６３】
この実施形態のミーリング加工方法は、ワークＷの下側面Ｗａに回転するエンドミル１３を当接させて、ワークＷの切削を行なう切削工程と、その切削工程の後に、エンドミル１３をワークＷから離間させる際に、下台１４の挿通穴３１の内壁面４０に設けた屑排出溝４１，４２に切削屑を引っ掛けて、エンドミル１３の回転を利用して、その切削屑を脱落させる脱落工程とを備えている。
【００６４】
この加工方法によれば、切削工程の後に、屑排出溝４１，４２に切削屑を引っ掛けて、エンドミル１３の回転を利用して、切削屑を脱落させる脱落工程を行なうことで、強制的にエンドミル１３の溝１３ａから切削屑を離脱させ、下方に排出することになる。  
このため、効率的にエンドミル１３の回転を利用して、切削屑を排出することができ、エンドミル１３の溝１３ａには切削屑が詰まることがなくなり、切削屑をスムーズに下方に排出することができる。  
よって、ミーリング加工によって生じる切削屑の排出を、確実に行なえ、切削屑による製品品質の悪化や切削工具等の破損を防止することができる。
【００６５】
また、この実施形態のミーリング加工方法では、脱落工程の後に、切削屑を下方から吸引する吸引工程を備えている。
【００６６】
この加工方法によれば、吸引工程によって、エンドミル１３から離脱した切削屑を、挿通穴３１の下方から吸引することになる。
【００６７】
このため、エンドミル１３から離脱した切削屑が、挿通穴３１内に留まらないため、エンドミル１３の回転を阻害することがなく、ミーリング加工の加工性を向上できる。また、エンドミル１３から十分に離脱しきれない切削屑についても、吸引機３４の吸引力により下方に引き落とすことができる。
【００６８】
よって、屑排出溝４１，４２の機能と相俟って、さらに切削屑の排出性を高めることができる。
【００６９】
なお、他の実施形態として、例えば、図８に示すように、屑排出溝１４１を略円弧状ではなく略三角形状、特にエンドミル１３の回動方向（図面では左側向き）に対向する対向面１４１ａが鉛直となった、楔形状断面に構成することが考えられる。
【００７０】
このように、屑排出溝１４１を構成した場合には、切削屑Ｘの先端がその対向面１４１ａに引っ掛かりやすくなり、屑排出溝４１，４２の効果をより高めることができる。
【００７１】
よって、より一層、切削屑Ｘがエンドミル１３の溝１３ａ（図７参照）から離脱しやすくなり、切削屑Ｘの排出性を高めることができる。
【００７２】
以上、この発明の構成と、前述の実施形態との対応において、
この発明の切削屑脱落部や、溝部は、実施形態の屑排出溝４１，４２，１４１に対応し、
発明の吸引手段は、実施形態の吸引機３４に対応するも、
この発明は、前述の実施形態に限定されるものではなく、あらゆるミーリング加工装置及びその加工方法に適用する実施形態を含むものである。
【図面の簡単な説明】
【００７３】
【図１】第一実施形態のミーリング加工装置を含んだ加工ラインの全体概略図。
【図２】ワークの（ａ）斜視図、（ｂ）平面図、（ｃ）断面図。
【図３】ミーリング加工装置の全体正面図。
【図４】ミーリング加工装置の加工動作の説明図。
【図５】下台に設けた挿通穴の斜視図。
【図６】挿通穴の（ａ）内壁面の展開図、（ｂ）一部平面図、（ｃ）一部底面図。
【図７】挿通穴内部の切削屑の排出動作を説明する断面図。
【図８】他の実施形態の屑排出溝の断面図。
【符号の説明】
【００７４】
Ｗ…ワーク
１…ミーリング加工装置
１３…エンドミル
１４…下台
３１…挿通穴
３４…吸引機
４０…内壁面
４１…第一屑排出溝
４２…第二屑排出溝
１４１…屑排出溝
【図１】
2007253245.tif 000003
【図２】
2007253245.tif 000004
【図３】
2007253245.tif 000005
【図４】
2007253245.tif 000006
【図５】
2007253245.tif 000007
【図６】
2007253245.tif 000008
【図７】
2007253245.tif 000009
【図８】
2007253245.tif 000010